(57)【要約】 【課題】各生活家電機器毎に静音に関する設定を実施する手間を削減してコンテンツの快適な視聴を実現する静音要求装置を提供することにある。【解決手段】静音要求装においては、第１の処理部において、再生されるべきコンテンツに応じた静音要求時間が定められ、場所情報格納部から静音要求の対象とされる少なくとも１つ以上の機器の設置場所が特定される。そして、第２の処理部において、静音要求時間及び少なくとも１つ以上の機器の設置場所を含むパケットが生成され、このパケットを静音要求の対象とされる機器を宛先として送信さる。パケットを受信した静音要求の対象とされる機器においては、このパケット内のデータに基づいて、静音モードが実行される。【選択図】図１
2016031732.tif 000002
【特許請求の範囲】
【請求項１】
再生されるべきコンテンツに応じた静音要求時間を定める第１の処理部と、
静音要求の対象とされる少なくとも１つ以上の機器の設置場所を特定している場所情報格納部と、
前記静音要求時間及び前記少なくとも１つ以上の機器の設置場所を含むパケットを生成する第２の処理部と、
前記パケットを静音要求の対象とされる機器を宛先として送信する送信部と、
を具備し、前記パケットを受信した前記静音要求の対象とされる機器において静音モードを実行させる静音要求装置。
【請求項２】
前記第１の処理部は、前記静音モードにおいて、外部から静音要求を伴う再生を指示がされたことに応答して静音要求時間を定めた第２のパケットを生成し、
前記送信部が前記第２のパケットを前記前記静音要求の対象とされる機器に向けて送信する請求項１の静音要求装置。
【請求項３】
前記第１の処理部は、前記静音モードにおいて、外部からコンテンツ再生を一時停止する指示がされたことに応答して静音要求時間を定めた第３のパケットを生成し、
前記送信部が前記第３のパケットを前記前記静音要求の対象とされる機器に向けて送信する請求項１の静音要求装置。
【請求項４】
前記第１の処理部は、前記静音モードにおいて、外部からコンテンツ再生を停止または終了する指示がされたことに応答して静音要求時間を定めた第４のパケットを生成し、
前記送信部が前記第４のパケットを前記前記静音要求の対象とされる機器に向けて送信する請求項１の静音要求装置。
【請求項５】
前記第１の処理部は、前記静音モードにおいて、外部からコンテンツ再生を停止または終了する指示がされたことに応答して静音要求時間を定めた第５のパケットを生成し、
前記送信部が前記第５のパケットを前記前記静音要求の対象とされる機器に向けて送信する請求項１の静音要求装置。
【請求項６】
前記第１の処理部は、前記静音モードにおいて、外部からコンテンツのトリック再生の指示がされたことに応答して静音要求時間を定めた第６のパケットを生成し、
前記送信部が前記第６のパケットを前記前記静音要求の対象とされる機器に向けて送信する請求項１の静音要求装置。
【請求項７】
再生されるべきコンテンツに応じた静音要求時間を定め、
静音要求の対象とされる少なくとも１つ以上の機器の設置場所を特定し、
前記静音要求時間及び前記特定された機器の設置場所を含むパケットを生成し、
前記パケットを静音要求の対象とされる機器を宛先として送信する
ことを具備し、前記パケットを受信した前記静音要求の対象とされる機器において静音モードを実行させる、静音化を要求する方法。
【請求項８】
前記静音モードにおいて、外部から静音要求を伴う再生を指示がされたことに応答して静音要求時間を定めた第２のパケットを生成し、
前記第２のパケットを前記前記静音要求の対象とされる機器に向けて送信する
ことを更に具備する請求項７の静音化を要求する方法。
【請求項９】
前記静音モードにおいて、外部からコンテンツ再生を一時停止する指示がされたことに応答して静音要求時間を定めた第３のパケットを生成し、
前記第３のパケットを前記前記静音要求の対象とされる機器に向けて送信する
ことを更に具備する請求項７の静音化を要求する方法。
【請求項１０】
前記静音モードにおいて、外部からコンテンツ再生を停止または終了する指示がされたことに応答して静音要求時間を定めた第４のパケットを生成し、
前記第４のパケットを前記前記静音要求の対象とされる機器に向けて送信する
ことを更に具備する請求項７の静音化を要求する方法。
【請求項１１】
前記静音モードにおいて、外部からコンテンツ再生を停止または終了する指示がされたことに応答して静音要求時間を定めた第５のパケットを生成し、
前記第５のパケットを前記前記静音要求の対象とされる機器に向けて送信する
ことを更に具備する請求項７の静音化を要求する方法。
【請求項１２】
前記静音モードにおいて、外部からコンテンツのトリック再生の指示がされたことに応答して静音要求時間を定めた第６のパケットを生成し、
前記第６のパケットを前記前記静音要求の対象とされる機器に向けて送信する
ことを更に具備する請求項７の静音化を要求する方法。
【発明の詳細な説明】
【技術分野】
【０００１】
本発明の実施形態は、静音要求装置及び静音要求方法に関する。
【背景技術】
【０００２】
オーディオ機器並びにビデオ機器の視聴には、周囲の環境の影響を受けやすく、コンテンツによっては、臨場感が乏しくなり、コンテンツの快適な視聴を妨げられる虞がある。より具体的には、テレビで映画或いは音楽番組を視聴する場合に、周囲の生活家電機器が動作を開始し、周囲の音がうるさくなり、快適な視聴が妨げられることがある。従って、従来からこれらオーディオ機器並びにビデオ機器の視聴に際しては、周囲の環境に対して静音が望まれ、ユーザから静音が要求されることがある。
【０００３】
一方、エアコン、冷蔵庫、或いは、洗濯機等の生活家電機器或いはテレビやタブレット、レコーダー等のＡＶ家電機器のような家庭内のさまざまな機器をネットワークに接続し、制御する仕組みとしてエコネットライト（ＥＣＨＯＮＥＴ Ｌｉｔｅ）規格がある。このＥＣＨＯＮＥＴ Ｌｉｔｅは、スマートハウス向けのホームネットワーク用プロトコルとして策定された通信規格である。
【先行技術文献】
【特許文献】
【０００４】
【特許文献１】特開２０１３−２０７４４４号公報
【特許文献２】特開２００９−０８９３８０号公報
【特許文献３】特開２０００−１７５２７５号公報
【発明の概要】
【発明が解決しようとする課題】
【０００５】
オーディオ機器並びにビデオ機器の視聴に際して、視聴を開始する前に周囲の生活家電機器の動作を停止または抑制しておくという方法が考えられる。しかし、生活家電機器毎に停止するのか、或いは、抑制するのかを指定し、抑制する場合には、どのように抑制するのかも指示する必要があり、生活家電機器毎に対応する手間が必要とされる。このような要請に対して、手間を掛けずにコンテンツの快適な視聴を実現することができることが望まれている。特に、ＥＣＨＯＮＥＴ Ｌｉｔｅ規格が策定されている現状に鑑み、このＥＣＨＯＮＥＴ Ｌｉｔｅ規格を活用してコンテンツの快適な視聴を実現することができることが望ましいとされている。
【課題を解決するための手段】
【０００６】
実施形態によれば、各生活家電機器毎に静音に関する設定を実施する手間を削減してコンテンツの快適な視聴を実現する静音要求装置及び静音要求方法を提供することにある。
【０００７】
実施形態によれば、
再生されるべきコンテンツに応じた静音要求時間を定める第１の処理部と、
静音要求の対象とされる少なくとも１つ以上の機器の設置場所を特定している場所情報格納部と、
前記静音要求時間及び前記少なくとも１つ以上の機器の設置場所を含むパケットを生成する第２の処理部と、
前記パケットを静音要求の対象とされる機器を宛先として送信する送信部と、
を具備し、前記パケットを受信した前記静音要求の対象とされる機器において静音モードを実行させる静音要求装置が提供される。
【図面の簡単な説明】
【０００８】
【図１】実施形態の静音要求装置及び静音要求装置が接続されているネットワークシステムの構成を概略的に示すブロック図である。
【図２】図１に示される静音要求装置で生成される静音要求パケットのペイロードに格納されるＥＣＨＯＮＥＴプロパティ値のデータの一例を示す模式図である。
【図３】図２に示されるデータの一例としの効果範囲の場所を指定する為の指定コードと効果範囲の場所との関係を示すテーブルである。
【図４】図２に示されるデータの一例としての再生するコンテンツの残り時間を指定する為の残り時間コードと時間との関係を示すテーブルである。
【図５】図２に示されるデータの一例に係る効果範囲のリストを番号で示すテーブルである。
【図６】図１に示される静音要求装置が静音要求再生を指示された場合における静音要求装置の動作を示すフローチャートの一例である。
【図７】図１に示される静音要求装置が静音要求モードの間に、一時停止を指示された場合における静音要求装置の動作を示すフローチャートの一例である。
【図８】図１に示される静音要求装置が静音要求モードの間に、停止/終了を指示された場合における静音要求装置の動作を示すフローチャートの一例である。
【図９】図１に示される静音要求装置がトリックプレイ(早送り/早戻し/スキップ/一時停止)を指示され、その後、再生を指示された場合における静音要求装置の動作を示すフローチャートの一例である。
【図１０】図１に示される生活家電装置において、静音要求パケットを受領した際ににおける生活家電装置の動作を示すフローチャートの一例である。
【発明を実施するための形態】
【０００９】
以下、実施の形態に係る静音要求装置ついて、図面を参照して説明する。
【００１０】
［実施例１］
図１は、実施形態に係る静音要求装置を含むネットワークシステムの構成を概略的に示すブロック図である。
【００１１】
図１に示すように静音要求装置２は、例えば、ＤＶＤディスク、ブルーレイ（Blu-ray（登録商標)）ディスク或いは録画済みコンテンツを視聴することが可能なオーディオ機器或いはビデオ機器等の視聴覚装置８に接続されている。ここで、静音要求装置２は、視聴覚装置８とは、別体に設けられているが、視聴覚装置８内に設けられても良い。
【００１２】
静音要求装置２は、ネットワーク１２に有線或いは無線で接続される外部インターフェース４を備えている。また、静音要求装置２は、種々の規格、例えば、エコネットライト（ECHONET Lite）規格に従った処理が可能な処理部６を備え、処理部６において、静音要求パケットを生成して外部インターフェース４を介してネットワーク１２に接続されたエアコン、冷蔵庫、或いは、洗濯機等の生活家電装置１０に送信することができる。
【００１３】
生活家電装置１０は、ネットワークインターフェース（図示せず）を有し、エコネットライト（ECHONET Lite）規格に従った処理をすることが可能で、静音要求パケットを受信すると自機器（生活家電装置１０）の判断で動作を決定することができる。また、ネットワーク１２は、ＬＡＮなどの有線ネットワーク、又は、ワイファイ(Wi-Fi)或いはブルートゥース(Bluetooth（登録商標)）等の無線ネットワークで構成される。
【００１４】
静音要求装置２は、上述したように、コンテンツ処理部６−１、効果範囲リスト格納部６−２、静音要求処理部６−３を含む処理部６、内部バス１４、外部インターフェース部４を具備している。また、視聴覚装置８は、リモコン部及びチューナー部（いずれも図示せず）等のコンテンツを操作するための機能を有し、画像処理部及び表示部（いずれも図示せず）など表示するための機能を具備している。静音要求装置２が視聴覚装置８と同様にリモコン部の機能を備え、視聴覚装置８の画像処理部及び表示部を制御しても良い。
【００１５】
コンテンツ処理部６−１は、ＤＶＤ或いはBlu-rayのコンテンツ或いは録画済みコンテンツを管理・処理する機能を有し、静音要求装置２に設けられず、視聴覚装置８内に設けられたコンテンツ処理部で実現されても良い。静音要求装置２及び視聴覚装置８にコンテンツ処理部が設けられる場合には、静音要求装置２のコンテンツ処理部６−１が視聴覚装置８のコンテンツ処理部(図示せず）から制御データ（再生パラメータ）を受信するように接続される。
【００１６】
図１に示される効果範囲リスト格納部６−２には、静音要求が可能な場所が有効な場所(効果範囲)として記載されている効果範囲リストが格納され、この効果範囲リストには、静音要求装置２の設置場所、ユーザが指定した視聴覚装置８の場所、例えば、静音要求装置２から離れて設置され、視聴覚装置８を構成する音響装置としてのスピーカが設置される場所が効果範囲リストに記載される。
【００１７】
静音要求処理部６−３は、効果範囲リスト格納部６−２から効果範囲を取得し、コンテンツ処理部６−１から再生するコンテンツの残り時間を取得し、規格で定められた通知、例えば、ECHONET Lite規格の通知としてそれらの情報を含む静音要求パケットを作成し、外部インターフェース部４からネットワーク１２に送信する。
【００１８】
外部インターフェース部４は、生活家電装置１０との間で、ネットワークを介してパケットの送受信を行い、静音要求パケット内のデータ（パラメータ）に従って生活家電装置１０の静音化を実現する。
【００１９】
図２は、静音要求処理部６−３で生成される静音要求パケットで搬送されるペイロードに含まれるECHONETプロパティ値データ（パラメータ）の一例を示している。生成される静音要求パケットは、パケットヘッダ（図示せず）を有し、ヘッダ中に静音要求装置が送信元アドレスとして記載され、静音が要求対象としての生活家電装置１０が宛先アドレスとして記載される。この宛先アドレスは、静音要求装置の初期設定で対象とする生活家電装置１０を予め定めることで予め定めておくことができる。
【００２０】
図２に示されるECHONETプロパティ値データは、効果範囲(３バイト)２０と再生するコンテンツの残り時間(２バイト)２２(以下単に、残り時間２２と称する。)から構成される。効果範囲の２０の１バイト目には、静音要求装置の設置場所２０−１を設定するコードが記載され。２バイト目及び３バイト目には、オプション２０−２，２０−３が用意され、適切な場所がコードで設定することができ、或いは、未設定とすることができる。
【００２１】
尚、この実施の形態では、一例として、２つのオプション２０−２，２０−３が用意されているが、０以上の妥当な個数のオプションが用意されていることが望ましい。残り時間２２の１バイト目は、再生するコンテンツの残り時間の「時」２２−１に設定されている。「時」２２−１には、一例として０〜２５５時間の範囲に定められる。また、残り時間２２の２バイト目には、再生するコンテンツの残り時間の「分」２２−１が設定される。「分」２２−２は、０〜５９分の範囲内に定められている。
【００２２】
ここで、設置場所及び場所については、ＥCHONET Lite規格の設置場所プロパティ値を利用することが望ましい。図３に示される表には、ECHONET Lite規格で定められている例としての効果範囲の場所及び対応するコードの一例が示されている。この図３に示されるように効果範囲の場所としての「リビング」は、コード０ｘ０１が記述され、「ダイニング」は、コード０ｘ０２が記述され、「キッチン」は、０ｘ０３で記述される。また、「未設定」の場所は、コード０ｘ００が記述される。
【００２３】
また、図４に示される表には、静音要求パケットのペイロードに記載される、再生するコンテンツの残り時間２２と残り時間２２に対応するコードの一例が示されている。「時」２２−１には、コード０ｘ００から０ｘＦＦで０時間から２５５時間が表されている。また、「分」２２−２には、コード０ｘ００から０ｘ３Ｂで０分から２５５分が表され、「分」２２−２においては、コード０ｘ３Ｃ〜０ｘＦＥが通常使用されない「予備」として用意されている。また、「分」２２−２には、「一時停止」を意味するコード０ｘＦＦも用意されている。
【００２４】
更に、図５には、静音要求パケットのペイロードに記載される、効果範囲２０のリストの一例が示されている。図２のパケットのペイロードでは、３バイトが用意されることから、図５のリストでは、図３の表を参照して、番号０で特定される設置場所２０−１には、例えば、コード０ｘ０１で指定されるリビングが選定され、番号１で特定される第１のオプション２０−２には、コード０ｘ０３で指定されるキッチンが選定され、番号２で特定される第２のオプション２０−３には、コード０ｘ００で指定される未設定が選定されている。
【００２５】
図６は、静音要求再生が指示された際における、図１に示される静音要求装置の動作を示すフローチャートの一例である。ユーザがコンテンツを再生する際に、リモコン部(図示せず）等を利用して静音要求が入力され、コンテンツの再生要求があると、静音要求を伴うコンテンツ再生処理が実行される。ここで、コンテンツ再生に先だって、静音要求の処理が開始されると（ブロックＢ１０）、コンテンツ処理部６−１において、静音要求された再生コマンドが入力されたかが確認される。（ブロックＢ１２）静音要求された再生コマンドがない場合には（ブロックＢ１２における”Ｎｏ”）、静音要求された再生を待つこととなる。静音要求された再生コマンドがある場合には（ブロックＢ１２における”Ｙes”）、静音要求処理部６−３は、効果範囲リスト格納部６−２に格納された図３に示すリストから効果範囲を読み出し、図５に示すように、静音要求パケットのプロパティ値を生成したパケットに設定する。（ブロックＢ１４）次に、再生するコンテンツの長さ(時間)をコンテンツ処理部６−１から読み出し、コンテンツの長さ(時間)を静音要求パケットのプロパティ値に残り時間２２として設定する。（ブロックＢ１６）最後に、静音要求処理部６−３において、静音要求パケットをECHONET Lite規格の通知のフォーマットに整形し、ネットワークに送信し、生活家電装置１０における静音動作に移行される。（ブロックＢ１８）その後、静音要求の送信処理が終了される。（ブロックＢ２０）
静音要求処理部６−３において、ECHONET Lite規格の通知のフォーマットに整形する際には、パケットヘッダに送信元として静音要求装置２が設定され、また、予め定められた生活家電装置１０が送信宛先として設定される。ここで、１つの生活家電装置１０毎に送信されるパケットが用意される。従って、複数の生活家電装置１０があれば、生活家電装置１０毎にパケットが静音要求処理部６−３において生成され、静音要求装置２から送信される。
【００２６】
また、パケットのペイロードには、図２に示されるデータに加えて静音要求のコマンドが格納され、静音要求するパケットが生活家電装置１０で受信されると、後に説明するように、この静音要求のコマンドに応答して当該生活家電装置１０で実行可能な静音モードに移行される。
【００２７】
図７は、図１に示される静音要求装置２が静音要求モードに維持されている期間中において、一時停止が指示された場合における、静音要求装置２の動作を示すフローチャートの例である。静音要求の一時停止が開始されると（ブロックＢ２２）、ユーザがリモコンを利用して静音モード中に静音要求の一時停止を要求したかが静音要求処理部６−３においてチェックされる。（ブロックＢ２４）静音要求の一時停止を要求がない場合（ブロックＢ２４の”Ｎｏ”）には、静音要求の一時停止を待つこととなる。これに対して、静音要求の一時停止の要求がある場合（ブロックＢ２４の”Ｙes”）には、静音要求の一時停止の為のパケットが生成される。静音要求の一時停止では、静音要求処理部６−３が図３に示す効果範囲リストから効果範囲を読み出し、静音要求パケットの効果範囲２０のプロパティ値を設定する（ブロックＢ２６）。次に、静音要求処理部６−３が静音要求パケットの残り時間２２のプロパティ値の残り時間の分を０ｘＦＦ（一時停止)に設定する（ブロックＢ２８）。残り時間が設定された後に、静音要求処理部６−３において、ECHONET Lite規格の通知のフォーマットの整形してパケットを作成し、外部インターフェース４を介してネットワーク１２に送信する（ブロックＢ３０）。その後、静音要求の一時停止処理が終了される（ブロックＢ３２）。
【００２８】
静音モード中であった生活家電装置１０は、静音要求の一時停止のパケットを受け取ると、生活家電装置１０では、残り時間２２の０ｘＦＦ（一時停止)を参照して静音モードを一時停止状態に維持することとなる。
【００２９】
図８は、静音要求装置が静音要求モードに維持されている間に、ユーザから停止/終了が指示された場合の静音要求装置の動作を示すフローチャートの例である。静音要求装置の動作中（ブロックＢ３４）において、ユーザがリモコンを利用して停止或いは終了の実行を指示したかが静音要求処理部６−３において確認される（ブロックＢ３６）。ユーザが停止/終了の実行指示がなければ、静音要求装置は、ユーザからの停止/終了の実行を待つこととなる。（ブロックＢ３６の”Ｎｏ”）。ユーザが停止/終了を実行すると（ブロックＢ３６の”Ｙes”）、静音要求処理部６−３が静音要求パケットのプロパティ値の効果範囲すべてを未設定（０ｘ００）に設定する（ブロックＢ３８）。次に、静音要求処理部６−３が静音要求パケットのプロパティ値の残り時間を残り時間なし（０ｘ００００）に設定する（ブロックＢ４０)。最後に、ECHONET Lite規格の通知のフォーマットに整形し、ネットワークに送信し（ブロックＢ４２）、その後、静音要求モードを解除して停止/終了指示に伴う処理が終了される（ブロックＢ４４）。
【００３０】
静音モード中であった生活家電装置１０は、静音要求モードの解除に伴うパケットを受け取ると、生活家電装置１０は、静音要求モードの解除することとなる。
【００３１】
図９は、静音要求装置が静音要求モードに維持されている間に、トリックプレイ(早送り/早戻し/スキップ/一時停止)が指示され、その後、再生が指示された場合における静音要求装置の動作を示すフローチャートの例である。静音要求装置の動作中（ブロックＢ４６）において、リモコンを利用するユーザ指示に従ってトリックプレイの操作を終了し、再生を実行するかが静音要求処理部６−３においてチェックされる（ブロックＢ４８）。再生を実行しない場合には、再生を実行の指示を待つこととなる（ブロックＢ４８の”Ｎｏ”）。再生を実行する場合には、静音要求処理部６−３が図３に示す効果範囲リストから効果範囲を読み出し、静音要求パケットのプロパティ値に設定する（ブロックＢ５０）。次に、再生するコンテンツの残り時間を読み出し、静音要求パケットのプロパティ値に設定する（ブロックＢ５２）。最後に、静音要求処理部６−３がECHONET Lite規格の通知のフォーマットに整形し、ネットワークに送信する（ブロックＢ５４）。その後、トリックプレイ後の再生に伴う処理が終了される（ブロックＢ５６）。
【００３２】
静音モード中であった生活家電装置１０は、トリックプレイ後の再生指示に伴うパケットを受け取ると、生活家電装置１０では、残り時間２２を参照して静音モードの時間を再設定することとなる。
【００３３】
図１０は、生活家電装置１０が静音要求装置２からの静音要求パケットを受信した場合における生活家電装置１０の静音動作処理を示すフローチャートの例である。生活家電装置１０の動作が開始されると（ブロックＢ５８）、生活家電装置１０は、静音要求パケットを受信したかを確認する（ブロックＢ６０）。生活家電装置１０が静音要求パケットを受信していない場合（ブロックＢ６０の”Ｎｏ”）には、生活家電装置１０は、静音要求パケットの受信を待つこととなる。生活家電装置１０が静音要求パケットを受信した場合には（ブロックＢ６０の”Ｙｅｓ”）、静音要求パケットから生活家電装置１０が効果範囲に含まれ、且つ、残り時間が０でないかを確認することとなる（ブロックＢ６２）。生活家電装置１０が効果範囲に含まれ、且つ、残り時間が０でない場合（ブロックＢ６２の”Ｙｅｓ”）には、静音要求パケットの要求に応じて、静音動作へ移行し、静音動作を維持し、又は、静音動作を停止する（ブロックＢ６６）。生活家電装置１０が効果範囲に含まれない場合、或いは、残り時間が０である場合（ブロックＢ６２の”Ｎｏ”）場合、静音動作中であるかが確認される（ブロックＢ６６）。静音動作中であれば（ブロックＢ６２の”Ｙｅｓ”）、静音動作を解除する。静音動作中でなければ（ブロックＢ６２の”Ｎｏ”）、生活家電装置１０の静音動作処理をそのまま終了する。なお、静音動作は、各生活家電装置が規定する動作モードであり、例えば、静音動作モードがある場合はそれに遷移してもよいし、ない場合は停止するもしくは無視すると規定しても良い。
【００３４】
上述したように、静音要求装置２は、効果範囲２０と再生コンテンツの再生残り時間２２の情報を含む静音要求パケットを生活家電機器１０にECHONET Liteの通知として送信している。生活家電機器１０は、静音要求パケットを受信した場合に、効果範囲に含まれ、しかも、残り時間がある場合には、生活家電機器１０が有する機能の範囲内において、静音要求パケットに従って静音モードを実行することとなる。従って、各生活家電機器毎に静音に関する設定を実施する手間を削減することができ、手間を掛けずにコンテンツの快適な視聴を実現することができる。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
２…静音要求装置、４…外部インターフェース、６…処理部、６−１は、コンテンツ処理部、６−２…効果範囲リスト格納部、６−３…静音要求処理部、８…視聴覚装置、１０…生活家電装置、２０…効果範囲、２２…残り時間、２０−１…設置場所、２０−２、２０−３…オプション、２２−１…時、２２−２…分
【図１】
2016031732.tif 000003
【図２】
2016031732.tif 000004
【図３】
2016031732.tif 000005
【図４】
2016031732.tif 000006
【図５】
2016031732.tif 000007
【図６】
2016031732.tif 000008
【図７】
2016031732.tif 000009
【図８】
2016031732.tif 000010
【図９】
2016031732.tif 000011
【図１０】
2016031732.tif 000012